(57)【要約】【課題】  電子体温計において、ユーザの利便性を損なうことなく、より見やすい表示を実現することを目的とする。【解決手段】  配列された複数のＬＥＤを備える発光部３５２と、電子体温計１００が振られたことを検出する振れ検出部３３０と、各ＬＥＤの発光を制御する表示制御部３４４と、電磁誘導発電部３１１と、を備え、表示制御部３４４は、更に、測定された前記被検者の体温に関する情報に基づいて発光ドットパターンを生成する手段と、振れ検出部３３０による検出結果に基づいて算出された、ＬＥＤの１ドット列当たりの発光時間を算出する手段と、を備え、発光部３５２が、前記生成された発光ドットパターンと、前記算出された１ドット列当たりの発光時間とに基づいて各ＬＥＤの発光を制御することを特徴とする。【選択図】図３
2010230440.tif 000002
【特許請求の範囲】
【請求項１】
被検者の体温を測定する電子体温計であって、
配列された複数の発光素子を備える発光手段と、
前記電子体温計が振られたことを検出する振れ検出手段と、
前記発光手段が備える各発光素子の発光を制御する発光制御手段と、
前記電子体温計が振られることにより発電した電力を蓄積し、前記電子体温計に供給する電力供給手段と、を備え、
前記発光制御手段は、
測定された前記被検者の体温に関する情報に基づいて発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、を備え、
前記振れ検出手段が前記電子体温計が振られたことを検出した場合に、前記生成された発光ドットパターンと、前記算出された１ドット列当たりの発光時間とに基づいて、前記各発光素子の発光を制御することを特徴とする電子体温計。
【請求項２】
被検者の体温を測定する電子体温計であって、
配列された複数の発光素子を備える発光手段と、
前記電子体温計が振られたことを検出するとともに、振れ速度がゼロとなった位置を基準位置として、該基準位置からの距離を算出する振れ検出手段と、
前記発光手段が備える各発光素子の発光を制御する発光制御手段と、
前記電子体温計が振られることにより発電した電力を蓄積し、前記電子体温計に供給する電力供給手段と、を備え、
前記発光制御手段は、
測定された前記被検者の体温に関する情報を表現するために、前記電子体温計の振れ方向における前記発光素子のドット列から構成された発光ドットパターンであって、該各ドット列の前記基準位置からの距離が規定された発光ドットパターンを生成する生成手段と、を備え、
前記振れ検出手段により算出された距離が、前記発光ドットパターンを構成する各ドット列について規定された前記基準位置からの距離に一致した場合に、前記各発光素子を、対応するドット列に従って発光するよう制御することを特徴とする電子体温計。
【請求項３】
前記電力供給手段は、
前記電子体温計が振られることにより、コイル内に内挿された磁石が動作し、電磁誘導により発電する発電機構を備えることを特徴とする請求項１または２に記載の電子体温計。
【請求項４】
前記電子体温計は、振られることにより、ハウジングの一部が撓むように構成され、
前記電力供給手段は、
前記電子体温計のハウジングの撓みに伴って、圧電材料が撓むことにより発電する発電機構を備えることを特徴とする請求項１に記載の電子体温計。
【請求項５】
前記振れ検出手段は、
前記発電機構から出力された電圧信号に基づいて、前記電子体温計が振られたことを検出することを特徴とする請求項４に記載の電子体温計。
【請求項６】
前記電子体温計は、振られることにより、ハウジングの一部が撓むように構成され、
前記電力供給手段は、
前記電子体温計のハウジングの撓みに伴って、圧電材料が撓むことにより発電する発電機構を備えることを特徴とする請求項２に記載の電子体温計。
【請求項７】
前記振れ検出手段は、
前記発電機構から出力された電圧信号に基づいて、前記電子体温計が振られたことを検出するとともに、振れ速度がゼロとなった位置を基準として、該基準位置からの距離を算出することを特徴とする請求項６に記載の電子体温計。
【請求項８】
配列された複数の発光素子を備える発光手段と、電子体温計が振られたことを検出する振れ検出手段と、前記発光手段が備える各発光素子の発光を制御する発光制御手段と、前記電子体温計が振られることにより発電した電力を蓄積し、前記電子体温計に供給する電力供給手段と、を備え、被検者の体温を測定する電子体温計における表示制御方法であって、
測定された前記被検者の体温に関する情報に基づいて発光ドットパターンを生成する生成工程と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出工程と、
前記振れ検出手段が前記電子体温計が振られたことを検出した場合に、前記生成された発光ドットパターンと、前記算出された１ドット列当たりの発光時間とに基づいて、前記各発光素子の発光を制御する制御工程と
を備えることを特徴とする表示制御方法。
【請求項９】
配列された複数の発光素子を備える発光手段と、電子体温計が振られたことを検出するとともに、振れ速度がゼロとなった位置を基準位置として、該基準位置からの距離を算出する振れ検出手段と、前記発光手段が備える各発光素子の発光を制御する発光制御手段と、前記電子体温計が振られることにより発電した電力を蓄積し、前記電子体温計に供給する電力供給手段と、を備え、被検者の体温を測定する電子体温計における表示制御方法であって、
測定された前記被検者の体温に関する情報を表現するために、前記電子体温計の振れ方向における前記発光素子のドット列から構成された発光ドットパターンであって、該各ドット列の前記基準位置からの距離が規定された発光ドットパターンを生成する生成工程と、
前記振れ検出手段により算出された距離が、前記発光ドットパターンを構成する各ドット列について規定された前記基準位置からの距離に一致した場合に、前記各発光素子を、対応するドット列に従って発光するよう制御する制御工程と
を備えることを特徴とする表示制御方法。
【請求項１０】
請求項８または９に記載の表示制御方法をコンピュータによって実行させるためのプログラムを格納したコンピュータ読取可能な記憶媒体。
【発明の詳細な説明】
【技術分野】
【０００１】
本発明は、被検者の体温を測定するための電子体温計に関するものである。
【背景技術】
【０００２】
従来より、電子体温計にはＬＣＤ等の表示部が設けられており、測定された被検者の体温等の情報をユーザに表示することができるよう構成されている（例えば、下記特許文献１参照）。
【先行技術文献】
【特許文献】
【０００３】
【特許文献１】特開２００７−２４５３０号公報
【発明の概要】
【発明が解決しようとする課題】
【０００４】
しかしながら、近年、その表示部は、電子体温計の軽量・小型化に伴って、大きさが制約される傾向にあり、ユーザにとっては、必ずしも見やすい表示となっていない。特に、周辺環境が暗い場合にあっては、表示された情報を読み取ることが困難な状況となっている。
【０００５】
一方、ＬＣＤの寸法を大きくしたり、ＬＣＤにバックライトをつけたり、７セグメントのＬＥＤを表示部に設けることで、ユーザにとってより見やすい表示部を実現することは可能であるが、この場合、電子体温計の外形が大きくなったり、消費電力が増大し電池交換が頻繁になるなど、ユーザにとっての利便性が損なわれることとなる。
【０００６】
本発明は上記課題に鑑みてなされたものであり、電子体温計において、ユーザの利便性を損なうことなく、より見やすい表示を実現することを目的とする。
【課題を解決するための手段】
【０００７】
上記の目的を達成するために、本発明に係る電子体温計は以下のような構成を備える。即ち、
被検者の体温を測定する電子体温計であって、
配列された複数の発光素子を備える発光手段と、
前記電子体温計が振られたことを検出する振れ検出手段と、
前記発光手段が備える各発光素子の発光を制御する発光制御手段と、
前記電子体温計が振られることにより発電した電力を蓄積し、前記電子体温計に供給する電力供給手段と、を備え、
前記発光制御手段は、
測定された前記被検者の体温に関する情報に基づいて発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、を備え、
前記振れ検出手段が前記電子体温計が振られたことを検出した場合に、前記生成された発光ドットパターンと、前記算出された１ドット列当たりの発光時間とに基づいて、前記各発光素子の発光を制御することを特徴とする。
【発明の効果】
【０００８】
本発明によれば、電子体温計において、ユーザの利便性を損なうことなく、より見やすい表示を実現することが可能となる。
【図面の簡単な説明】
【０００９】
【図１】本発明の第１の実施形態に係る電子体温計１００の外観構成の一例を示す図である。
【図２】電子体温計１００の発電機構を説明するための図である。
【図３】電子体温計１００のシステム構成を示す図である。
【図４】電子体温計１００を長手方向と略直交する方向に、電子体温計１００の姿勢を維持した状態で、電子体温計１００を往復で振った場合に、発光部３５２の各発光素子３５２Ａの発光によってユーザに視認される表示内容の一例を示した図である。
【図５】信号処理部３３２における信号処理の内容を説明するための図である。
【図６】表示制御部３４４において生成される発光ドットパターンの一例を示す図である。
【図７】表示制御部３４４における、発光開始から発光完了までの発光制御処理の内容を説明するための図である。
【図８】表示制御部３４４における、発光開始から発光完了までの発光制御処理の内容を説明するための図である。
【図９】表示制御部３４４における、発光開始から発光完了までの発光制御処理の内容を説明するための図である。
【図１０】電子体温計１００における体温測定処理の流れを示すフローチャートである。
【図１１】電子体温計１００における可視化処理の流れを示すフローチャートである。
【図１２】本発明の第２の実施形態に係る電子体温計１２００の外観構成の一例を示す図である。
【図１３】電子体温計１２００の発電機構を説明するための図である。
【図１４】電子体温計１２００のシステム構成を示す図である。
【図１５】本発明の第３の実施形態に係る電子体温計１２００のシステム構成を示す図である。
【図１６】信号処理部３３２における他の信号処理の内容を説明するための図である。
【図１７】表示制御部３４４において生成される他の発光ドットパターンの一例を示す図である。
【図１８】表示制御部３４４における、発光開始から発光完了までの他の発光制御処理の内容を説明するための図である。
【図１９】表示制御部３４４における、発光開始から発光完了までの他の発光制御処理の内容を説明するための図である。
【図２０】表示制御部３４４における、発光開始から発光完了までの他の発光制御処理の内容を説明するための図である。
【図２１】電子体温計１００における他の可視化処理の流れを示すフローチャートである。
【発明を実施するための形態】
【００１０】
以下、本発明の各実施形態の詳細について図面を参照しながら説明する。
【００１１】
［第１の実施形態］
１．電子体温計の外観構成
図１は、本発明の第１の実施形態に係る電子体温計１００の外観構成の一例を示す図である。
【００１２】
図１において、１０１は、被検者の体温に関する情報を表示する表示部であり、例えば、ＬＣＤ等により構成されている。
【００１３】
１０２は発光部であり、ＬＥＤ等の発光素子が電子体温計１００の長手方向に一列に配列されている。なお、図１の例では、発光部１０２としてＬＥＤが７個配列された場合について図示しているが、発光部１０２に含まれるＬＥＤの数は７個に限られない。また、図１の例では、発光部１０２としてＬＥＤを１列に配列した場合について図示しているが、ＬＥＤの配列数は１列に限られず、複数列であってもよい。
【００１４】
１０３はエンドキャップであり、内蔵された温度計測部（詳細は後述）に対して被検者の体温が伝導しやすいように、ステンレスなどの金属により構成されている。
【００１５】
１０４はＯＮ／ＯＦＦスイッチであり、体温の測定を開始する際、又は体温の測定を終了した後に押すことで、電子体温計１００の電源を制御する。
【００１６】
２．電子体温計の発電機構
図２は、電子体温計１００の発電機構を説明するための図である。図２に示すように、電子体温計１００には充電式電池及び後端部２１０（ＯＮ／ＯＦＦスイッチ１０４が配された側の端部）には、発電機構として電磁誘導発電部が内蔵されており、電子体温計１００において消費される電力を供給している。
【００１７】
このため、電子体温計１００は、ユーザによる電池交換の必要性がないため、ユーザにとっては高い利便性を有することとなる。また、電池交換のための開閉機構を設ける必要がなく、電子体温計１００のハウジングを密閉構造にすることができるため、電子体温計の耐水性が向上するという効果も得られる。
【００１８】
本実施形態の場合、発電機構は、コイル２０１内に磁石２０２が内挿された構成となっており、電子体温計１００が長手方向と略直交する方向に振られることにより、磁石２０２が矢印２０３方向に往復運動することで発電する構成となっている。
【００１９】
３．電子体温計のシステム構成
次に、電子体温計１００のシステム構成について図３を参照しながら説明する。
【００２０】
図３は、本発明の第１の実施形態に係る電子体温計１００のシステム構成を示す図である。
【００２１】
電子体温計１００は、電源部３１０と温度計測部３２０と振れ検出部３３０と演算制御部３４０と、出力部３５０と、ブザー３６０とに大別することができる。
【００２２】
電源部３１０は、図２を用いて説明した電磁誘導発電部３１１と、全波整流／平滑化回路３１２と、充電・電源回路３１３とを備える。電子体温計１００が振られることにより電磁誘導発電部３１１において発電された電力は、全波整流／平滑化回路３１２において整流／平滑化されたうえで、充電・電源回路３１３により内蔵の充電式電池に蓄積される。そして、電子体温計１００が起動された際に、電子体温計１００の各部に電源を供給する。
【００２３】
温度計測部３２０は、サーミスタ、コンデンサ、測温用ＣＲ発振回路等から構成されており、サーミスタにより検出された温度を発振信号として出力する。出力された発振信号はカウンタ３４５においてカウントされることで、デジタル量として出力される。なお、温度計測部３２０の構成は一例であって、これに限定されるものではない。
【００２４】
演算制御部３４０は、体温測定に必要なパラメータを格納したＥＥＰＲＯＭ３４１、計測した温度を時系列で記憶するためのＲＡＭ３４２、予測式の体温測定プログラム等を格納したＲＯＭ３４３、出力部３５０を制御するための表示制御部３４４、温度計測部３２０より出力された発振信号をカウントするカウンタ３４５、ＲＯＭ３４３の体温測定プログラムに従いＥＥＰＲＯＭ３４１に格納されたパラメータに従って演算を行う演算処理部３４６、カウンタ３４５や表示制御部３４４を制御する制御回路３４７等を備える。
【００２５】
ブザー３６０は、体温測定が終了したことを、鳴動により被検者に知らせる。
【００２６】
振れ検出部３３０は、モーション・センサ３３１と、信号処理部３３２とを備える。モーション・センサ３３１としては、例えば、加速度センサや傾斜センサ等が用いられるものとする。
【００２７】
信号処理部３３２は、モーション・センサ３３１が検出した電子体温計１００の振れを信号として受信し、当該信号に基づいて、発光部３５２の発光開始のタイミングならびに各発光素子の１ドット列当たりの発光時間を規定するための信号（振れ方向の変更タイミングを示す信号（詳細は後述））を表示制御部３４４に出力する。
【００２８】
出力部３５０は、従来の表示方法（ＬＣＤ等）で体温に関する情報を表示する表示部３５１と、ユーザの目の残像効果を利用して体温に関する情報を可視化する発光部３５２とを含む。
【００２９】
表示部３５１（図１の表示部１０１に対応する）は、ＬＣＤ等により構成され、表示制御部３４４から受信した体温に関する情報を表示する。
【００３０】
発光部３５２（図１の発光部１０２に対応する）では、電子体温計１００が往復で振られた（往復運動した）際に、被検者の体温に関する情報をユーザが視認できるように、表示制御部３４４にて生成された発光ドットパターン、発光時間及び発光開始タイミング／発光完了タイミングに基づいて各発光素子３５２Ａが発光する（詳細は後述）。つまり、表示制御部３４４は、表示部３５１の表示を制御する表示制御機能と発光部３５２の各発光素子３５２Ａの発光を制御する発光制御機能とを有している。
【００３１】
なお、発光部３５２の各発光素子３５２Ａが発光している状態で、ユーザが電子体温計１００を往復で振ることで、ユーザは、目の残像効果の影響により、電子体温計１００の被検者の体温に関する情報を空間上において視認することができる。
【００３２】
なお、電子体温計１００のように発光部１０２を備える構成の場合、必ずしも表示部３５１を設ける必要はなく、表示部３５１は省略しても良い。このように、表示部３５１を省略することで、電子体温計１００では、表示部を配するための幅又は大きさを維持する必要が無くなるため、外形寸法を更に小さくすることが可能となる。
【００３３】
４．発光部の発光により視認される表示内容
次に、電子体温計１００の発光部３５２の各発光素子３５２Ａの発光により視認される表示内容について、図面を参照しながら説明する。
【００３４】
図４は電子体温計１００を長手方向と略直交する方向（以下、横方向と称す）に、電子体温計１００の姿勢を維持した状態で、電子体温計１００を往復で振った場合に、発光部３５２の各発光素子３５２Ａの発光によってユーザに視認される表示内容の一例を示した図である。
【００３５】
発光部３５２では、電子体温計１００が横方向に往復で振られているうちの、所定方向の振れ（ここでは、紙面左側から右側への振れ、以下、右振れと称す）の間、被検者の体温に関する情報に対応する発光ドットパターンと、後述する１ドット列あたりの発光時間とに基づいて、各発光素子３５２Ａが発光する。これにより、その発光を見たユーザは、目の残像効果の影響により、被検者の体温に関する情報を空間上において視認することができる。
【００３６】
なお、図４の例は、電子体温計１００を横方向に往復で振ることで、振れ範囲内の空間上に、“３８．５℃”という表示が浮かび上がって見える様子を示している。
【００３７】
図４に示すように、電子体温計１００の発光部３５２を構成する各発光素子３５２Ａは、電子体温計１００の右振れが完了するまでの間に、それぞれ対応する発光タイミングにおいて発光する。なお、本実施形態では紙面右側から左側への振れ（以下、左振れと称す）の間は、各発光素子３５２Ａは発光しないものとする。
【００３８】
このように、各発光素子３５２Ａは、対応する発光タイミングにおいて、一瞬（１ドット列当たりの発光時間分）発光するだけであるが、ユーザの目の残像効果の影響により、それぞれの発光タイミングで発光した光が残像として残るため、ユーザには、連続した文字として視認されることとなる。以下、電子体温計１００を横方向に往復で振った場合の、信号処理部３３２及び表示制御部３４４における処理の詳細について説明する。
【００３９】
５．信号処理部における信号処理
まず、発光部３５２における発光開始／発光完了のタイミングならびに各発光素子の発光時間を規定するための信号（振れ方向の変更タイミングを示す信号）を出力する信号処理部３３２における信号処理の内容について説明する。
【００４０】
図５は、信号処理部３３２における信号処理の内容を説明するための図である。図５の（Ａ−１）は、モーション・センサ３３１が傾斜センサであった場合に、ユーザによって電子体温計１００が往復で振られた際のモーション・センサ３３１の出力を示した図である。また、図５の（Ａ−２）は、モーション・センサ３３１が加速度センサであった場合に、ユーザによって電子体温計１００が往復で振られた際のモーション・センサ３３１の出力を示した図である。
【００４１】
上述したように、電子体温計１００では、横方向の往復の振れのうち、右振れの間、発光部３５２の各発光素子の発光を制御する。これに対応するため、信号処理部３３２では、左振れしていた電子体温計１００の振れ方向が右振れに変更されたタイミング（振れ方向の変更タイミング）を検出する。
【００４２】
図５の（Ａ−１）に示すように、本実施形態に係る傾斜センサでは、左振れしていた電子体温計１００の振れ方向が、右振れに変更された場合に、これを検出し、ＯＮ信号として出力するよう構成されている。
【００４３】
このため、信号処理部３３２では、傾斜センサより出力されたＯＮ信号を検出し、これを表示制御部３４４に出力する（図５の（Ｂ）参照）。
【００４４】
一方、モーション・センサ３３１が加速度センサであった場合には、図５の（Ａ−２）に示すように、電子体温計１００の往復の振れに応じて、正弦波状の信号が出力される。
【００４５】
このため、信号処理部３３２では、加速度センサより出力された信号を微分処理し、微分処理の結果がゼロになるタイミング（つまり、加速度センサより出力された信号の傾きがゼロになるタイミング）を検出する。
【００４６】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。
【００４７】
このうち、信号処理部３３２では、左振れしていた電子体温計１００の振れ方向が、右振れに変更されたタイミングのみを抽出して、表示制御部３４４に出力する（図５の（Ｂ）参照）。
【００４８】
なお、本発明は、モーション・センサ３３１として上述のような傾斜センサや加速度センサが用いられることに限定されるものではなく、例えば角速度センサ（ジャイロスコープ）のように、電子体温計１００の振れを検出できる他のセンサが用いられてもよい。
【００４９】
６．表示制御部において生成される発光ドットパターン
次に、表示制御部３４４において生成される発光ドットパターンについて説明する。図６は、表示制御部３４４において生成される発光ドットパターンの一例を示す図である。
【００５０】
図６に示すように、発光ドットパターンは、発光部３５２の各発光素子により可視化される仮想的な表示領域における表示であり、配列された発光素子の数と、所定の方向に振られている間の発光素子の発光回数であるドット列数とにより規定される。
【００５１】
図６において、黒い丸及び白い丸は、電子体温計１００が横方向の振れに伴って移動した場合の、各発光タイミングにおける発光素子の位置を示している。本実施形態では、１文字（ただし、「点」は除く）を表現するのに、横方向５ドットと縦方向７ドット（７つの発光素子）とを用いるものとする。また、横方向の文字と文字の間には、２ドット列数分の発光素子の空白が設けられているものとする。
【００５２】
このため、図６に示すように、体温に関する情報として、例えば“３８．５℃”の５文字（“３”、“８”、“．”、“５”及び“℃”）を可視化するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【００５３】
つまり、電子体温計１００の右振れが開始してから完了するまでの間に、各発光素子は、３３ドット列数からなる発光ドットパターンを出力することとなる。このため、１ドット列数分の発光時間（つまり、各発光素子の１ドット列当たりの発光時間ｔ）は、電子体温計１００の右振れが開始してから完了するまでにかかる振れ時間をＴとした場合、Ｔ／３３となる。
【００５４】
ここで、電子体温計１００の右振れが開始してから完了するまでにかかる振れ時間Ｔは、モーション・センサ３３１の出力に基づいて信号処理部３３２が検出した検出結果（振れ方向の変更タイミング）に基づいて算出することができる。
【００５５】
具体的には、信号処理部３３２から出力されたＯＮ信号とＯＮ信号との間隔の１／２を算出することにより求めることができる。
【００５６】
なお、モーション・センサ３３１が加速度センサの場合には、左方向に振られた電子体温計１００の振れ方向が、右方向の振れに変更された振れ方向の変更タイミングと、右方向に振られた電子体温計１００の振れ方向が左方向の振れに変更された振れ方向の変更タイミングとの間隔を算出することができるため、これに基づいて求めるよう構成してもよい。
【００５７】
このように、表示制御部３４４では、被検者の体温に関する情報を可視化するために以下のように動作する。
・発光部３５２において可視化すべき被検者の体温に関する情報を受信し、これを表現するための発光ドットパターンを生成する。
・信号処理部３３２からの信号の出力間隔に基づいて算出された振れ時間Ｔと、被検者の体温に関する情報を表現するのに必要な横方向の発光素子のドット列数とに基づいて、次回の右振れにおける１ドット列当たりの発光時間ｔを算出する。
・信号処理部３３２からの信号（振れ方向の変更タイミング）の出力を発光開始タイミングとして、各発光素子を、生成された発光ドットパターンと、算出された１ドット列数あたりの発光時間ｔとに基づいて発光させる。
【００５８】
７．発光開始から発光完了までの発光制御処理の内容
次に、発光開始から発光完了までの表示制御部３４４における発光制御処理の内容について説明する。
【００５９】
図７は、表示制御部３４４における、発光開始から発光完了までの発光制御処理の内容を説明するための図である。図７において、（Ａ）は振れ方向の変更タイミングにおいて発光を開始した状態を示している。また、（Ｂ）及び（Ｃ）は、振れ時間Ｔの１／３が経過した状態及び２／３が経過した状態をそれぞれ示している。さらに、（Ｄ）は振れ時間Ｔが経過し、発光が完了した状態を示している。
【００６０】
図７に示すように、各発光素子は、発光ドットパターンのうち、発光開始タイミングからの経過時間に対応するドット列に基づく発光を行うように制御される。
【００６１】
同様に、図８は、表示制御部３４４における、発光開始から発光完了までの発光制御処理の内容を説明するための図である。図７との違いは、図８の場合、振れ時間Ｔが図７の振れ時間Ｔより小さい点である。
【００６２】
なお、振れ時間Ｔが小さい場合とは、振れ速度が同じで振れ幅が小さい場合と、振れ幅が同じで振れ速度が大きい場合とが考えられるが、どちらの場合も発光制御処理の内容としては同じである。このため、図８では、振れ速度が同じで振れ幅が小さい場合について示している。
【００６３】
図８に示すように、振れ時間Ｔが図８の振れ時間Ｔより小さい場合、発光時間ｔは、図７の発光時間よりも短くなり、結果として、表現される文字の大きさ（横方向の大きさ）は、小さくなる。
【００６４】
なお、振れ幅が同じで振れ速度が大きい場合には、発光時間ｔは、図７の発光時間よりも短くなるが、振れ速度が大きい分、短い発光時間の間に移動する距離が大きくなるため、結果として、表現される文字の大きさ（横方向の大きさ）は、図７の場合と同じとなる。
【００６５】
同様に、図９は、表示制御部３４４における、発光開始から発光完了までの発光制御処理の内容を説明するための図である。図７との違いは、図９の場合、振れ時間Ｔが図７の振れ時間Ｔより大きい点である。
【００６６】
なお、振れ時間Ｔが大きい場合とは、振れ速度が同じで振れ幅が大きい場合と、振れ幅が同じで振れ速度が小さい場合とが考えられるが、どちらの場合も発光制御処理の内容としては同じである。このため、図９では、振れ速度が同じで振れ幅が大きい場合について示している。
【００６７】
図９に示すように、振れ時間Ｔが図７の振れ時間Ｔより大きい場合、発光時間ｔは、図７の発光時間よりも長くなり、結果として、表現される文字の大きさ（横方向の大きさ）は、大きくなる。
【００６８】
なお、振れ幅が同じで振れ速度が小さい場合には、発光時間ｔは、図７の発光時間よりも長くなるが、振れ速度が小さい分、長い発光時間の間に移動できる距離は小さくなるため、結果として、表示される文字の大きさ（横方向の大きさ）は、図７の場合と同じとなる。
【００６９】
このように、各発光素子は、信号処理部３３２からの信号（振れ方向の変更タイミングを示す信号）の出力を発光開始タイミングとして、それぞれのタイミングで発光すべき発光ドットパターンを、算出された１ドット列当たりの発光時間分だけ発光させることで、電子体温計１００では右振れが完了するまでの間に、被検者の体温に関する情報を可視化させることができる。つまり、ユーザが振った場合の各振れ時間のばらつきを考慮して被検者の体温に関する情報を可視化させることができる。
【００７０】
８．電子体温計の体温測定処理の流れ
続いて、図１０を用いて電子体温計１００における体温測定処理の流れを説明する。図１０は電子体温計１００の体温測定処理の流れを示すフローチャートである。なお、本実施形態では、例えば、特開２００７−２４５３０号公報などに開示された予測式の体温測定方法を用いて体温測定を行うものとする。
【００７１】
ＯＮ／ＯＦＦスイッチ１０４が押下されると、電子体温計１００の電源がＯＮとなり、ステップＳ１００１に進む。
【００７２】
ステップＳ１００１では、電子体温計１００の初期化が行われ、温度計測部３２０による温度値の検出が開始される。例えば、０．５秒おきに温度計測部３２０を用いて温度値が検出される。
【００７３】
ステップＳ１００２では、例えば、前回実測値（つまり０．５秒前の実測値）からの上昇が所定の値（例えば１度）以上となる温度値を計測した時点を、予測式の基準点（ｔ＝０）と設定し、ＲＡＭ３４２に特定タイミングで実測値のデータ（時系列データ）として記憶を開始する。つまり、急激な温度上昇を検出することにより、被検者の所定の測定部位に電子体温計１００が装着されたとみなす。
【００７４】
ステップＳ１００３からステップＳ１００７までは、周知の予測式の体温測定方法を用いて体温を予測する処理であり、その詳細に関しては、例えば、特開２００７−２４５３０号公報などに記載されているため、ここでは簡潔に説明することとする。
【００７５】
ステップＳ１００３では、測定中に計測温度の低下が観測されたか否かを判断する。所定の温度低下が見られる場合は、ステップＳ１０１２に進み、所定の温度低下が見られない場合にはステップＳ１００４に進む。
【００７６】
ステップＳ１０１２では、計測されたデータの補正処理を行う。補正処理が正常に行われた場合にはステップＳ１００２に戻る。一方、補正処理が正常に終了しない場合には、ステップＳ１０１３に進む。ステップＳ１０１３では、体温測定が正常に終了しなかったとして、エラーを告げるブザー３６０を鳴動した後、体温測定処理を終了する。
【００７７】
一方、ステップＳ１００４では、ステップＳ１００２で記憶されたデータを用いて、前述した予測式の体温測定方法を用いて逐次予測値を導出（例えば、０．５秒間隔で導出）する。
【００７８】
ステップＳ１００５では、基準点（ｔ＝０）から所定時間（例えば１６秒）だけ経過した後、例えばステップＳ１００４で導出した複数の群に対応するそれぞれの予測値の変化に基づいて群分け判定を行う。
【００７９】
ステップＳ１００６では、ステップＳ１００５によって決定された群以外の演算を停止し、判定された群における予測演算を引き続き所定の時間導出する。
【００８０】
ステップＳ１００７では、基準点（ｔ＝０）から所定時間（例えば３０秒）だけ経過した時点で、ステップＳ１００６における処理の結果導出された一定区間（例えばｔ＝２５〜３０秒）における予測値があらかじめ設定された予測成立条件を満たすかどうかをチェックする。具体的には、所定の範囲（例えば０．１度）に収まっているか否かをチェックする。
【００８１】
ステップＳ１００７において予測成立条件を満たしたと判定された場合には、ステップＳ１００８に進む。一方、予測成立条件を満たさない場合は、ステップＳ１０１４に進む。
【００８２】
ステップＳ１０１４では、例えばタイマーなどで計測開始から所定時間（例えば４５秒）が経過したか否かを監視し、経過した時は、強制的に予測を成立させ、ステップＳ１００８に進む。つまり、その時点で導出されている予測値をそのまま最終予測値と見なす。
【００８３】
ステップＳ１００８では、体温測定が正常に終了したものとして予測成立を告げるブザー３６０を鳴らし、ステップＳ１００９に進む。ステップＳ１００９では、導出された体温の予測値を測定結果として出力部３５０の表示部３５１に表示する。
【００８４】
ステップＳ１０１０では、電子体温計１００の横方向に往復で振られているかを判定する。横方向に往復で振られていると判定された場合には、ステップＳ１０１５に進み、横方向に往復で振られていないと判定された場合には、ステップＳ１０１１に進む。
【００８５】
ステップＳ１０１５では、表示制御部３４４が、測定された体温の予測値を発光部３５２において可視化するための可視化処理（可視化処理のフローの詳細は後述）を実行する。
【００８６】
ステップＳ１０１１では、体温測定終了の指示を受け付けたか否かを判定する。体温測定終了の指示は、例えば、ＯＮ／ＯＦＦスイッチ１０４が押下されたか否かに基づいて判定してもよいし、ステップＳ１００９における表示から一定時間経過した場合に体温測定終了の指示があったとみなすようにしてもよい。以上のステップを経て、体温測定処理を終了し、電源をＯＦＦにする。
【００８７】
９．可視化処理の流れ
次に、図１１を用いて、測定された体温の予測値を発光部３５２において可視化するための表示制御部３４４における可視化処理の流れについて説明する。
【００８８】
図１０のステップＳ１０１０において、電子体温計１００において横方向に往復で振られていると判定されると、図１１に示す可視化処理が開始される。
【００８９】
ステップＳ１１０１では、信号処理部３３２からの信号の出力間隔に基づいて、電子体温計１００の右振れの振れ時間Ｔを算出する。
【００９０】
ステップＳ１１０２では、測定された体温の予測値に基づいて、発光部３５２において可視化すべき体温に関する情報を表現するための発光ドットパターンを生成する。
【００９１】
ステップＳ１１０３では、ステップＳ１１０１において算出された右振れの振れ時間Ｔと、ステップＳ１１０２において生成された発光ドットパターンを表現するのに必要な右振れ方向の発光素子のドット列数とに基づいて、１ドット列当たりの発光時間ｔを算出する。
【００９２】
ステップＳ１１０４では、信号処理部３３２からの信号の出力を受信したタイミングで、生成された発光ドットパターンと、算出された１ドット列当たりの発光時間ｔとに基づいて、各発光素子の発光の制御を開始する。
【００９３】
ステップＳ１１０５では、信号処理部３３２からの信号の出力が継続しているか否かを判定し、継続していると判定された場合には、ステップＳ１１０１に戻る。一方、信号処理部３３２からの信号の出力がないと判定された場合には、可視化処理を終了する。
【００９４】
以上の説明から明らかなように、本実施形態に係る電子体温計１００では、複数の発光素子が配列された発光部３５２と、電子体温計１００の振れを検出するモーション・センサ３３１と、測定された体温に応じて発光部３５２を構成する各発光素子の発光を制御する表示制御部３４４とを備える構成とした。
【００９５】
そして、電子体温計が横方向に往復で振られている際に、測定された被検者の体温に関する情報をユーザが空間上で視認できるよう構成した。
【００９６】
更に、電磁誘導発電部を設け、電子体温計が横方向に往復で振られている間に発電し、電子体温計１００の電源を賄うよう構成することで、電池交換を不要にした。
【００９７】
この結果、電子体温計において、体温を測定する際の利便性を損なうことなく、ユーザにとってより見やすい表示を実現することが可能となった。
【００９８】
［第２の実施形態］
上記第１の実施形態では、発電機構として電磁誘導発電部を用いる場合について説明したが、本発明はこれに限られず、他の発電機構を用いてもよい。以下、他の発電機構を用いた場合について説明する。
【００９９】
１．電子体温計の外観構成
図１２は、本発明の第２の実施形態に係る電子体温計１２００の外観構成の一例を示す図である。
【０１００】
図１２に示す電子体温計１２００の各構成のうち、図１と同じ構成については、図１と同じ参照番号を付すことで説明は省略し、ここでは、図１と相違する構成について説明する。
【０１０１】
図１２に示すように、電子体温計１２００は、エンドキャップ１０３を含む先端部１２１０のハウジングと表示部１０１を含む中央部１２１１のハウジングとの間が蛇腹構造１２０５により構成されており（つまり、可撓性のある材質・構造となっており）、先端部１２１０に対して、中央部１２１１が相対的に撓む構成となっている。
【０１０２】
かかる構成を有することにより、ユーザが先端部１２１０を持って電子体温計１２００を往復運動させた場合、振れ方向の変更位置において、中央部１２１１が振れ方向に撓むこととなる。
【０１０３】
２．電子体温計の発電機構
図１３は、電子体温計１２００の発電機構を説明するための図である。図１３に示すように、電子体温計１２００の内部には、充電式電池及び先端部１２１０から蛇腹構造１２０５を介して、中央部１２１１にかけて、発電機構としての圧電バイモルフ（圧電材料）が内蔵されており、電子体温計１２００において消費される電力を供給している。
【０１０４】
このため、電子体温計１２００は、ユーザによる電池交換の必要性がないため、ユーザにとっては高い利便性を有することとなる。また、電池交換のための開閉機構を設ける必要がなく、電子体温計１２００のハウジングを密閉構造にすることができるため、電子体温計の耐水性が向上するという効果も得られる。
【０１０５】
本実施形態の場合、ユーザが先端部１２１０を持って電子体温計１２００を左振れさせた場合、振れ方向の変更位置（左振れから右振れに変更される位置）１３１０において、中央部１２１１が矢印１３０２方向に撓み、それに伴って、電子体温計１２００に内蔵された圧電バイモルフ１３０１が振れ方向（左振れ方向）に撓む。
【０１０６】
この結果、振れ方向の変更位置１３１０において圧電バイモルフ１３０１が発電することとなる。
【０１０７】
同様に、ユーザが先端部１２１０を持って電子体温計１２００を右振れさせた場合、振れ方向の変更位置（右振れから左振れに変更される位置）１３１１において、中央部１２１１が矢印１３０３方向に撓み、それに伴って、電子体温計１２００に内蔵された圧電バイモルフ１３０１が振れ方向（右振れ方向）に撓む。
【０１０８】
この結果、振れ方向の変更位置１３１１において圧電バイモルフ１３０１が発電することとなる。
【０１０９】
３．電子体温計のシステム構成
次に、電子体温計１２００のシステム構成について図１４を参照しながら説明する。なお、図１４に示す各機能のうち、図３と同じ機能については、図３と同じ参照番号を付すことで説明は省略し、ここでは、図３と相違する機能について説明する。
【０１１０】
電源部１４１０は、図１２を用いて説明した圧電バイモルフ１４１１と、全波整流／平滑化回路１４１２と、充電・電源回路１４１３とを備える。電子体温計１２００が振られることにより、圧電バイモルフ１４１１において発電された電力は、全波整流／平滑化回路１４１２において整流／平滑化されたうえで、充電・電源回路１４１３により内蔵の充電式電池に蓄積される。そして、電子体温計１２００が起動された際に、電子体温計１２００の各部に電源を供給する。
【０１１１】
以上の説明から明らかなように、本実施形態では、電子体温計のハウジングの一部を可撓性のある材質・構造とするとともに、圧電バイモルフを内蔵させることで、電子体温計を往復運動させるごとに、発電させる構成とした。これにより、電子体温計の電源を賄うことが可能となり、ユーザによる電池交換の必要がなくなった。
【０１１２】
［第３の実施形態］
上記第２の実施形態では、圧電バイモルフの発電を電子体温計の電力供給にのみ用いることとしたが、本発明はこれに限定されない。圧電バイモルフは、振れ方向の変更位置において発電量が最大になることから、発電量が最大になるタイミングを、振れ方向の変更タイミングとして利用するように構成してもよい。これにより、別途モーション・センサを設ける必要がなくなり、コストを低減させることが可能となるからである。以下、本実施形態に係る電子体温計について、図１５を用いて説明する。
【０１１３】
図１５は、本発明の第３の実施形態に係る電子体温計のシステム構成を示す図である。なお、図１５に示す各機能のうち、図１４と同じ機能については、図１４と同じ参照番号を付すことで説明は省略し、ここでは、図１４と相違する機能について説明する。
【０１１４】
電源部１４１０は、図１２を用いて説明した圧電バイモルフ１４１１と、全波整流／平滑化回路１４１２と、充電・電源回路１４１３とを備える。電子体温計１２００が振られるこことにより、圧電バイモルフ１４１１において発電された電力は、全波整流／平滑化回路１４１２において整流／平滑化され、充電・電源回路１４１３により内蔵の充電式電池に蓄積されるとともに、振れ検出部１５３０の信号処理部１５３２に入力される。
【０１１５】
信号処理部１５３２では、圧電バイモルフ１４１１からの電圧信号を受信し、当該信号に基づいて、発光部３５２の発光開始のタイミングならびに各発光素子の１ドット列当たりの発光時間を規定するための信号（振れ方向の変更タイミングを示す信号）を表示制御部３４４に出力する。
【０１１６】
図１３に示したように、電子体温計１２００が往復運動した場合、振れ方向の変更位置（１３１０または１３１１）において、圧電バイモルフ１３０１の撓みが最大となることから、圧電バイモルフ１３０１からの電圧信号は、当該振れ方向の変更位置において極大・極小となる正弦波状の信号となる。
【０１１７】
このため、信号処理部１５３２では、圧電バイモルフ１３０１より出力された電圧信号を微分処理し、微分処理の結果がゼロになるタイミング（つまり、圧電バイモルフ１３０１より出力された信号の傾きがゼロになるタイミング）を検出する。
【０１１８】
ここで、圧電バイモルフ１３０１より出力された信号の傾きがゼロになるタイミングとしては、左振れしていた電子体温計１２００の振れ方向が、右振れに変更されたタイミングと、右振れしていた電子体温計１２００の振れ方向が、左振れに変更されたタイミングの、２種類がある。
【０１１９】
このうち、信号処理部１５３２では、左振れしていた電子体温計１２００の振れ方向が、右振れに変更されたタイミングのみを抽出して、表示制御部３４４に出力する。
【０１２０】
以上の説明から明らかなように、本実施形態では、発電機構として配された圧電バイモルフからの電圧信号を、振れ方向の変更タイミングの検出に用いる構成とした。
【０１２１】
この結果、別途モーション・センサを設ける必要がなくなり、コストを削減することが可能となった。
【０１２２】
［第４の実施形態］
上記第１の実施形態では、モーション・センサ３３１の出力に基づいて、信号処理部３３２が振れ方向の変更タイミングを出力する構成について説明したが、本発明はこれに限定されない。
【０１２３】
例えばモーション・センサ３３１として加速度センサを用いた場合にあっては、信号処理部３３２において、電子体温計１００の振れ方向の変更位置ならびに振れ方向の変更位置からの距離を出力するように構成してもよい。
【０１２４】
更に、信号処理部３３２から、電子体温計１００の振れ方向の変更位置ならびに振れ方向の変更位置からの距離が出力されることに対応して、表示制御部３４４では、該振れ方向の変更位置からの距離に応じた発光を行うように発光部３５２を制御するよう構成してもよい。以下、本実施形態の詳細について説明する。なお、説明は、上記第１の実施形態と異なる点を中心に行うものとする。
【０１２５】
１．信号処理部における信号処理
はじめに、発光部３５２における発光開始／発光完了の位置を規定するための信号（振れ方向の変更位置を示す信号）ならびに該振れ方向の変更位置からの距離を示す信号を出力する信号処理部３３２における信号処理の内容について説明する。
【０１２６】
図１６は、信号処理部３３２における信号処理の内容を説明するための図である。図１６の（Ａ）は、モーション・センサ３３１が加速度センサである場合に、ユーザによって電子体温計１００が往復で振られた際のモーション・センサ３３１の出力を示した図である。
【０１２７】
上述したように、電子体温計１００では、横方向の往復の振れのうち、右振れの間、発光部３５２の各発光素子３５２Ａの発光を制御する。このため、信号処理部３３２では、左振れしていた電子体温計１００の振れ方向が右振れに変更された位置（振れ方向の変更位置）を検出する。また、右振れ中における振れ方向の変更位置からの距離を算出する。
【０１２８】
図１６（Ａ）に示すように、電子体温計１００の往復の振れに応じて、加速度センサからは正弦波状の信号が出力される。
【０１２９】
このため、信号処理部３３２では、加速度センサより出力された信号の傾きがゼロになるタイミング（つまり、振れ速度がゼロになるタイミング）を検出する。
【０１３０】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。信号処理部３３２では、これら２種類のタイミングを抽出し、その信号（振れ方向の変更位置を示す信号）を表示制御部３４４に出力する。
【０１３１】
さらに、左振れしていた電子体温計１００の振れ方向が、右振れに変更されたタイミングにおける電子体温計１００の位置（振れ方向の変更位置１６０１）を基準位置として、加速度センサより出力された信号を２回積分することにより、もう一方の振れ方向の変更位置１６０２（右振れしていた電子体温計１００の振れ方向が、左振れに変更されたタイミングにおける電子体温計１００の位置）までの、該基準位置からの距離を算出する（図１６の（Ｂ）参照）。算出された基準位置からの距離を示す信号は、表示制御部３４４に出力される。
【０１３２】
なお、本発明は、振れ方向の変更位置からの距離を検出するモーション・センサ３３１として、上述のような加速度センサを用いることに限定されるものではなく、振れ方向の変更位置からの距離を検出することが可能であれば、他のセンサを用いてもよい。
【０１３３】
２．表示制御部において生成される発光ドットパターン
次に、表示制御部３４４において生成される発光ドットパターンについて説明する。図１７は、表示制御部３４４において生成される発光ドットパターンの一例を示す図である。
【０１３４】
図１７に示すように、発光ドットパターンは、発光素子により可視化される仮想的な表示領域における表示であり、配列された発光素子の数と、所定の方向に振られている間の発光素子の発光回数であるドット列数と、各ドット列の振れ方向の変更位置１６０１からの距離とにより規定される。
【０１３５】
図１７において、黒い丸及び白い丸は、電子体温計１００が横方向の振れに伴って移動した場合の、各位置における発光素子のＯＦＦ／ＯＮを示している。本実施形態では、１文字（ただし、「点」は除く）を表現するのに、横方向５ドットと縦方向７ドット（７つの発光素子）とを用いるものとする。また、横方向の文字と文字の間には、２ドット列数分の発光素子の空白が設けられるものとする。
【０１３６】
このため、図１７に示すように、被検者の体温に関する情報として、例えば“３８．５℃”の５文字（“３”、“８”、“．”、“５”及び“℃”）を可視化するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【０１３７】
つまり、電子体温計１００の右振れが開始してから完了するまでの間に、発光素子は、３３ドット列数からなる発光ドットパターンを出力することとなる。このとき各ドット列の発光位置は、各ドット列の振れ方向の変更位置からの距離により規定される。
【０１３８】
具体的には、被検者の体温に関する情報が“３８．５℃”の場合、
ｘ１＝（Ｌ／３３）×０
ｘ２＝（Ｌ／３３）×１
ｘ３＝（Ｌ／３３）×２
・・・
ｘ３３＝（Ｌ／３３）×３２
となる。
【０１３９】
このように、表示制御部３４４では、可視化情報を可視化するために以下のように動作する。
・発光部３５２において可視化すべき被検者の体温に関する情報を受信し、これを表現するための発光ドットパターンを生成する。
・発光ドットパターンにおいて各ドット列の振れ方向の変更位置からの距離を規定する。
・信号処理部３３２から出力された振れ方向の変更位置を示す信号の出力を発光開始位置として制御を開始し、信号処理部３３２から出力された振れ方向の変更位置からの距離を示す信号が、規定された各ドット列の振れ方向の変更位置からの距離と一致した場合に、各発光素子を、対応するドット列に従って発光させる。
【０１４０】
なお、所定のドット列に基づく発光は、電子体温計１００が次のドット列に基づく発光が行われる位置に到達するまでの間、継続される。
【０１４１】
３．発光開始から発光完了までの発光制御処理の内容
次に、本実施形態における発光開始から発光完了までの表示制御部３４４における発光制御処理の内容について説明する。
【０１４２】
図１８は、表示制御部３４４における、発光開始から発光完了までの発光制御処理の内容を説明するための図である。図１８において、（Ａ）は振れ方向の変更位置において発光を開始した状態を示している。また、（Ｂ）及び（Ｃ）は、振れ幅Ｌの１／３の位置に到達した状態及び２／３の位置に到達した状態をそれぞれ示している。さらに、（Ｄ）は振れ幅Ｌの位置に到達し、発光が完了した状態を示している。
【０１４３】
同様に、図１９は、表示制御部３４４における、発光開始から発光完了までの発光制御処理の内容を説明するための図である。本実施形態において用いられる発光ドットパターンは、振れ幅Ｌに応じて各ドット列の振れ方向の変更位置からの距離を規定しているため、図１９の場合、図１８の場合と比較して、表現される文字の大きさ（横方向の大きさ）は、小さくなる。
【０１４４】
同様に、図２０は、表示制御部３４４における、発光開始から発光完了までの発光制御処理の内容を説明するための図である。本実施形態において用いられる発光ドットパターンは、振れ幅Ｌに応じて各ドット列の振れ方向の変更位置からの距離を規定しているため、図１８の場合と比較して、表現される文字の大きさ（横方向の大きさ）は、大きくなる。
【０１４５】
このように、本実施形態の場合、信号処理部３３２からの信号（振れ方向の変更位置）の出力を発光開始位置として制御を開始し、規定された振れ方向の変更位置からの距離に到達するごとに、対応するドット列に従って各発光素子を順次発光させていくため、ユーザが電子体温計１００を振る場合に生じる、振れ幅や振れ速度のばらつきを吸収することができる。
【０１４６】
４．可視化処理の流れ
次に、図２１を用いて、被検者の体温に関する情報を発光部３５２において可視化するための表示制御部３４４における可視化処理の流れについて説明する。
【０１４７】
ステップＳ２１０１では、信号処理部３３２からの信号（振れ方向の変更位置を示す信号）に基づいて、電子体温計１００の振れ幅を算出する。
【０１４８】
ステップＳ２１０２では、測定された体温の予測値に基づいて、発光部３５２において可視化すべき被検者の体温に関する情報を表現するための発光ドットパターンを生成する。このとき、各ドット列の振れ方向の変更位置からの距離を、ステップＳ２１０１において算出された振れ幅に基づいて規定する。
【０１４９】
ステップＳ２１０３では、信号処理部３３２からの信号に基づいて、電子体温計１００の振れ方向の変更位置を識別する。
【０１５０】
ステップＳ２１０４では、ステップＳ２１０３において識別された振れ方向の変更位置を基準として制御を開始する。具体的には、信号処理部３３２からの信号（振れ方向の変更位置からの距離を示す信号）が、ステップＳ２１０２において生成された発光ドットパターンを構成する各ドット列について規定された距離に一致した場合に、対応するドット列に従って、各発光素子を発光させる。
【０１５１】
ステップＳ２１０５では、信号処理部３３２からの信号の出力が継続しているか否かを判定し、継続していると判定された場合には、ステップＳ２１０１に戻る。一方、信号処理部３３２からの信号の出力がないと判定された場合には、可視化処理を終了する。
【０１５２】
以上の説明から明らかなように、本実施形態に係る電子体温計では、モーション・センサとして加速度センサを用いる構成とした。
【０１５３】
［第５の実施形態］
上記第４の実施形態では、発電機構として電磁誘導発電部を設けることを前提としていたが、本発明はこれに限定されず、上記第２の実施形態と同様に、発電機構として圧電バイモルフを用いることを前提としてもよい。更に、上記第３の実施形態と同様に、圧電バイモルフからの電圧信号に基づいて、振れ方向の変更位置及び該振れ方向の変更位置からの距離を算出することで、モーション・センサとしての加速度センサを省略するように構成してもよい。
【０１５４】
［第６の実施形態］
上記第１乃至第５の実施形態では、発光素子としてＬＥＤを用いる場合について説明したが、本発明はこれに限定されず、例えば、有機ＥＬ等、他の発光素子を用いるようにしてもよい。
【０１５５】
また、上記第１乃至第５の実施形態では、発光部により可視化される体温として、予測された体温を用いる場合について説明したが、本発明はこれに限定されず、実測された体温を用いるようにしてもよい。また、可視化される情報は、被検者の体温に関する情報に限定されず、他の情報であってもよいことはいうまでもない。
【０１５６】
また、上記第１乃至５の実施形態では、各文字を均等に配置するように発光ドットパターンを生成することとしたが、本発明はこれに限定されず、不均等に配置してもよいし、全体として右寄りに（あるいは左寄り）に配置するように構成してもよい。
【図１】
2010230440.tif 000003
【図２】
2010230440.tif 000004
【図３】
2010230440.tif 000005
【図５】
2010230440.tif 000006
【図６】
2010230440.tif 000007
【図７】
2010230440.tif 000008
【図８】
2010230440.tif 000009
【図９】
2010230440.tif 000010
【図１０】
2010230440.tif 000011
【図１１】
2010230440.tif 000012
【図１２】
2010230440.tif 000013
【図１３】
2010230440.tif 000014
【図１４】
2010230440.tif 000015
【図１５】
2010230440.tif 000016
【図１６】
2010230440.tif 000017
【図１７】
2010230440.tif 000018
【図１８】
2010230440.tif 000019
【図１９】
2010230440.tif 000020
【図２０】
2010230440.tif 000021
【図２１】
2010230440.tif 000022
【図４】
2010230440.tif 000023